(57)【要約】【課題】傷の位置を見ながらカッターを操作することができ、切り取られた傷のある壁紙と無傷の壁紙のデザインが合わせやすく、また壁紙補修定規を手で押さえやすく、カッターの切り筋が壁紙補修定規の各辺の端からはみ出すのを防止することができ、さらに各辺を傷付けにくく携帯に便利な壁紙補修定規を提供する。【解決手段】壁紙に当接する定規板１を備え、定規板１は壁紙の小傷を囲む穴２を有し、穴２は壁紙に切り筋を付けるカッターをあてがう複数の辺２ａ〜２ｄを内周縁に形成した多角形であり、複数の辺２ａ〜２ｄの相隣接するコーナ部において辺２ａ〜２ｄの端より辺２ａ〜２ｄの延長線上に延びる溝３を有し、溝３はカッターをあてがった辺２ａ〜２ｄに沿って入り込み可能に形成され、溝３の長さを、カッターにより形成された切り筋の先端がカッターをあてがった辺の端に達するように設定している。【選択図】図１
2011042973.tif 000002
【特許請求の範囲】
【請求項１】
壁紙に当接する定規板を備え、前記定規板は前記壁紙の小傷を囲む穴を有し、前記穴は前記壁紙に切り筋を付けるカッターをあてがう複数の辺を内周縁に形成した多角形であり、かつ前記複数の辺の相隣接するコーナ部において前記辺の端より前記辺の延長線上に延びる溝を有し、前記溝は前記カッターをあてがった前記辺に沿って入り込み可能に形成され、前記溝の長さを、前記カッターにより形成された前記切り筋の先端が前記カッターをあてがった前記辺の端に達するように設定した壁紙補修定規。
【請求項２】
前記多角形は四角形である請求項１記載の壁紙補修定規。
【請求項３】
前記穴は複数有し相互に形状が異なる請求項１または請求項２記載の壁紙補修定規。
【請求項４】
壁紙に当接する定規板を備え、前記定規板は前記壁紙の小傷を内側に位置させる切欠きを前記定規板の外周縁に有し、前記切欠きは前記壁紙に切り筋を付けるカッターをあてがう複数の辺を内周縁に形成した角形をなし、かつ前記複数の辺の相隣接するコーナ部において前記辺の端より前記辺の延長線上に延びる切欠き用溝を有し、前記切欠き用溝は前記カッターをあてがった前記辺に沿って入り込み可能に形成され、前記切欠き用溝の長さを、前記カッターにより形成された前記切り筋の先端が前記カッターをあてがった前記辺の端に達するように設定した壁紙補修定規。
【発明の詳細な説明】
【技術分野】
【０００１】
本発明は、壁などの表面に貼付された壁紙の小傷を補修する壁紙補修定規に関するものである。
【背景技術】
【０００２】
壁、天井、床あるいは家具類などの表面には、補強や装飾のため、壁紙が貼付されることがある。このように壁などに貼付された壁紙は、建築や製造等の現場作業において物が触れたり当たったりして、小さな傷が付くことが多いという問題があった。かかる小傷のある壁紙を補修するため、カッターにより壁紙の小傷の周囲を囲む切り筋を付けて、小傷のある部分を切り取り、壁紙の除去された箇所に無傷の壁紙を貼付することが行われている。この場合、カッターをガイドする定規を用いると、定規に沿った切り筋を付けることができる。
【０００３】
しかし、例えば壁紙の小傷の周囲に四角形に切り筋を付ける場合、四角形の１辺ごとに定規を動かす必要があるため手間がかかり作業性が悪い。また切り筋の四角形の形状が一定せず様々な形状の四角形になるので、切り取った部分の形状に無傷の壁紙を切り取って貼り付けるのが容易でない。
【０００４】
これに対して従来、平板状の四角形の壁紙補修器具があった（特許文献１参照）。この壁紙補修器具は、壁紙の小傷のある部分を覆うように壁紙に当て、壁紙補修器具の外周の各辺にカッターをあてがって壁紙に四角形の切り筋を付けるものである。この壁紙補修定規によれば、壁紙に当てた壁紙補修定規を動かすことなく、小傷の周囲にカッターによる切り筋を付けることができるので、作業性がよい。また切り筋の形状が一定になり、無傷の壁紙を同じ形状に切ることも容易であり便利である。  
【０００５】
しかしながら、四角形の壁紙補修定規で壁紙の小傷を塞ぐため、小傷を見ながらカッターにより切り筋を付けることができないとともに、小傷のある壁紙のデザインに無傷の壁紙のデザインを合うように切り取るのが容易でない。また小傷に対応して切り取る壁紙の形状を小さくしたいときは壁紙補修定規が小さい形状となり、手で壁紙補修定規を押さえにくくなる。そのため、カッターを安全に操作しにくく、操作中に壁紙補修定規がずれるおそれもある。さらに壁紙補修定規の各辺間のコーナ部に相当する各辺の端の位置では、カッターが辺にガイドされなくなるのでカッターを移動させるときの勢いで切り筋が辺の端からはみ出しやすい。さらに壁紙補修定規の取り扱い上において各辺を傷付けやすく、携帯にも注意を要する。
【先行技術文献】
【特許文献】
【０００６】
【特許文献１】実用新案登録第３１４１９３２号公報
【発明の概要】
【発明が解決しようとする課題】
【０００７】
したがって、本発明の目的は、傷の位置を見ながらカッターを操作することができ、切り取られた傷のある壁紙と無傷の壁紙のデザインが合わせやすく、また壁紙補修定規を手で押さえやすく、カッターの切り筋が壁紙補修定規の各辺の端からはみ出すのを防止することができ、さらに各辺を傷付けにくく携帯に便利な壁紙補修定規を提供することである。
【課題を解決するための手段】
【０００８】
本発明の壁紙補修定規は、壁紙に当接する定規板を備え、前記定規板は前記壁紙の小傷を囲む穴を有し、前記穴は前記壁紙に切り筋を付けるカッターをあてがう複数の辺を内周縁に形成した多角形であり、かつ前記複数の辺の相隣接するコーナ部において前記辺の端より前記辺の延長線上に延びる溝を有し、前記溝は前記カッターをあてがった前記辺に沿って入り込み可能に形成され、前記溝の長さを、前記カッターにより形成された前記切り筋の先端が前記カッターをあてがった前記辺の端に達するように設定したものである。
【０００９】
上記構成において、前記多角形は四角形である。
【００１０】
上記構成において、前記穴は複数有し相互に形状が異なる。
【００１１】
本発明の別の壁紙補修定規は、壁紙に当接する定規板を備え、前記定規板は前記壁紙の小傷を内側に位置させる切欠きを前記定規板の外周縁に有し、前記切欠きは前記壁紙に切り筋を付けるカッターをあてがう複数の辺を内周縁に形成した角形をなし、かつ前記複数の辺の相隣接するコーナ部において前記辺の端より前記辺の延長線上に延びる切欠き用溝を有し、前記切欠き用溝は前記カッターをあてがった前記辺に沿って入り込み可能に形成され、前記切欠き用溝の長さを、前記カッターにより形成された前記切り筋の先端が前記カッターをあてがった前記辺の端に達するように設定したものである。
【発明の効果】
【００１２】
本発明の壁紙補修定規によれば、壁紙補修定規を壁紙に当て、壁紙の小傷を穴に位置させて、穴の内周縁の各辺にカッターをあてがって壁紙に切り筋を付けることにより、小傷の部分を切り取ることができる。カッターを斜めにして辺の端まで壁紙を切り進めたとき、カッターの先端が溝に入り込むことができるため、切り筋の先端は辺の端まで達することができるので、各辺の切り筋を相互に連続させることができるとともに、切り筋のはみ出しをなくすことができる。また壁紙の小傷を見ながらカッターを移動させるため切り筋を付けやすく、また切り取られた小傷のある壁紙と同形状の無傷の壁紙を壁紙補修定規を用いて切り取ることができ、その際に小傷の部分の壁紙のデザインに無傷の壁紙のデザインを合わせやすい。さらに壁紙補修定規で切り取られる壁紙の大きさは壁紙補修定規の穴の大きさであり、壁紙補修定規自体は切り取られる壁紙より大きいので、穴形状が小さくても、壁紙補修定規を壁紙に当てて押さえやすい。カッターを当てがう穴の辺は壁紙補修定規を取り扱いの際に傷付きにくく、また携帯もしやすい。
【００１３】
定規板に形状の異なる複数の穴を設けると、小傷の形状に応じて小傷の切り取りに適した穴を複数の穴から選択することができるので便利である。
【００１４】
定規板の外周に角形の切欠きを形成した場合も、上記と同様な効果があるほか、壁紙の周辺の小傷や、壁の入隅付近または出隅付近の小傷を補修するのに便利である。
【図面の簡単な説明】
【００１５】
【図１】図１は本発明の第１の実施の形態の壁紙補修定規の平面図である。
【図２】図２は壁紙補修定規の使用状態の説明図であり、（ａ）は小傷の付いた壁紙を示す正面図、（ｂ）は壁紙に壁紙補修定規を当接した状態の正面図、（ｃ）は壁紙補修定規の穴の辺に沿ってカッターで切込みを入れることにより壁紙を切り取った状態の正面図、（ｄ）は切り取った部分に無傷の壁紙を貼り付けた状態の正面図である。
【図３】図３は第２の実施の形態の壁紙補修定規の平面図である。
【発明を実施するための形態】
【００１６】
本発明の第１の実施の形態の壁紙補修定規を図１および図２により説明する。図１は壁紙補修定規を示し、定規板１は平板状の薄板により形成されている。定規板１は好ましくは厚さ約０．５ｍｍから約１．５ｍｍのステンレスやアルミニウムなどの金属により形成される。定規板１の中心には四角形の穴２が形成されている。この穴２はプレス加工により打ち抜いたりレーザ加工などにより形成される。壁紙補修定規の用い方はカッター（図示せず）を穴２の内周縁を形成する各辺２ａ〜２ｄにカッターの先端の側面を当接するようにあてがい、カッターを各辺２ａ〜２ｄに沿って移動するものであり、これにより壁紙の小傷を切り取るための切り筋を付けることができる。また各辺２ａ〜２ｄの相隣接する端となるコーナ部には、各辺２ａ〜２ｄの延長線上に延びる溝３を形成している。この溝３はカッターをあてがった辺２ａ〜２ｄに沿ってカッターを移動することによりカッターの先端が入り込むことができるように形成されている。通常カッターは壁紙に対して傾斜して壁紙に切り込みながら傾斜方向に移動させることにより壁紙にスムースに切り筋を付けることができる。その場合、カッターが辺２ａ〜２ｄのコーナ部に到達すると隣接する辺に当たることなく溝３に進入し溝３の奥端に当たって停止する。その結果、壁紙４（図２）上の穴２の各辺２ａ〜２ｄのコーナ部の位置まで確実に切り筋を付けることができ、各辺２ａ〜２ｄに沿って形成された切り筋の隣合うもの同士を連続させることが可能となる。ここで溝３の長さは、カッターによる切り筋の先端が辺２ａ〜２ｄの端に達するように設定されるもので、カッターによる壁紙４の切り筋の先端が穴２のコーナ部に到達する位置になるとき、カッターが傾いた分溝３に入り込ませる寸法によって決まる。したがって、カッターの傾き角に依存するが大体約１ｍｍ〜３ｍｍ、好ましくは約２ｍｍであり、溝幅は約１ｍｍでよい。
【００１７】
図２は使用状態を示す。図２（ａ）は壁紙４に小傷５が付いた状態を示す。同図（ｂ）は小傷５が穴２に位置するように壁紙補修定規を壁紙４に当てた状態を示す。同図（ｃ）は壁紙補修定規の穴２の各辺２ａ〜２ｄにカッターをあてがって壁紙４に穴２の形状の切り筋を付けることにより小傷５のある部分を切り取った状態である。前記したように各辺２ａ〜２ｄの端には溝３があるため、各辺２ａ〜２ｄに沿った切り筋の先端同士を確実に連続させることができる。切り取った部分を斜線８で示す。同図（ｄ）は無傷の壁紙から壁紙補修定規を用いて穴２の形状に壁紙７を切り取り、図（ｃ）の壁紙４が切り取られた斜線８の部分に貼り付けた状態である。壁紙７を切り取るとき、無傷の壁紙に壁紙補修定規を当て壁紙補修定規を動かして、穴２内のデザインが小傷５のある壁紙４のデザインに合うようにすると、壁紙を小傷５が付く前と同じ状態にすることができる。
【００１８】
第１の実施の形態によれば、壁紙補修定規を壁紙４に当て、壁紙４の小傷５を穴２に位置させて、穴２の内周縁の各辺２ａ〜２ｄにカッターをあてがって壁紙４に切り筋を付けることにより、小傷５の部分を切り取ることができる。カッターを斜めにして辺２ａ〜２ｄの端まで壁紙４を切り進めたとき、カッターの先端が溝３に入り込むことができるため、切り筋の先端は辺２ａ〜２ｄの端まで達することができるので、各辺２ａ〜２ｄの切り筋を相互に連続させることができるとともに、切り筋のはみ出しをなくすことができる。また壁紙４の小傷５を見ながらカッターを移動させるため切り筋を付けやすく、また切り取られた小傷５のある壁紙４と同形状の無傷の壁紙４を壁紙補修定規を用いて切り取ることができ、その際に小傷５の部分の壁紙４のデザインに無傷の壁紙のデザインを合わせやすい。さらに壁紙補修定規で切り取られる壁紙４の大きさは壁紙補修定規の穴２の大きさであり、壁紙補修定規自体は切り取られる壁紙４より大きいので、穴形状が小さくても、壁紙補修定規を壁紙４に当てて押さえやすい。カッターを当てがう穴２の辺２ａ〜２ｄは壁紙補修定規を取り扱いの際に傷付けにくく携帯もしやすい。
【００１９】
本発明の第２の実施の形態を図３に示す。すなわち、この壁紙補修定規は、定規板１に相互に形状が異なる複数の穴２、６、９が形成されている。穴２は第１の実施の形態と同形状である。穴６は穴２と相似で穴２よりも小さい形状である。穴９は長方形である。これらの穴２、６、９の各コーナ部に第１の実施の形態と同様に溝３が形成されている。さらに定規板１の外周縁の角部分に角形の切欠き１１が形成されている。切欠き１１の内周縁の２つの辺１１ａ、１１ｂにカッターの先端をあてがい、また一対の辺１１ａ、１１ｂの相隣接するコーナ部には辺１１ａ、１１ｂのコーナ部の端より辺１１ａ、１１ｂの延長線上に延びる切欠き用溝３ａを形成している。切欠き用溝３ａは前記した溝３と同じ機能を有するもので、カッターの先端が入り込むことができるように形成され、かつ切欠き溝３ａの長さをカッターにより形成された切り筋の先端が辺１１ａ、１１ｂの端に達することができるように設定している。さらに定規板１の外周縁を形成する１つの辺に別の角形の切欠き１２が形成されている。切欠き１１の形状がたとえば穴６の周縁部の１つのコーナ部を含む４分の１の形状に相当するのに対して、切欠き１２は穴６の周縁部の２つのコーナ部を含む２分の１の形状に相当する。すなわち、切欠き１２は内周縁が奥辺１２ａと一対の両側辺１２ｂ、１２ｃとで形成され、これらによって形成される２つのコーナ部にそれぞれ切欠き用溝３ａが形成されている。
【００２０】
このように、形状の異なる複数の穴２、６、９を設けることにより、小傷５の形状に合わせて小傷５を切り取るのに使用する穴２、６、９のいずれかを選択することができるので便利である。また定規板１の外周に角形の切欠き１１、１２を形成し内周縁のコーナ部に切欠き用溝３ａを形成すると、壁紙の周辺の小傷５や、壁の入隅付近または出隅付近の小傷５を補修するのに便利である。
【００２１】
なお、本発明において、壁紙は壁、天井、床あるいは家具類の表面の補強や装飾のために貼る部材であればよく、材質は紙壁紙や布壁紙など紙製や布製に限らず、ビニールなどの樹脂製等でもよい。また穴２、６、９は三角形以上の多角形であればよい。穴数は１個や３個に限らず、２個や４個以上の複数でもよい。定規板１は、平板状の薄板に限らず、また金属に限らず、硬質のプラスチックや穴を形成する部分を金属で形成しその外周をプラスチックで形成したものなどでもよい。さらに切欠き１１または切欠き１２は、第１の実施の形態の定規板１に形成されてもよい。
【符号の説明】
【００２２】
１    定規板
２    穴
２ａ〜２ｄ  辺  
３    溝
３ａ  切欠き用溝
４    壁紙
５    小傷
１１    切欠き
１２    切欠き
【図１】
2011042973.tif 000003
【図２】
2011042973.tif 000004
【図３】
2011042973.tif 000005